(57)【要約】【課題】画像データを印刷するジョブがキャンセルされた場合であっても、ファクシミリ通信における通信コストや時間の無駄が一般の装置と比較して少ないファクシミリ装置を提供する。【解決手段】ファクシミリ装置は、ファクシミリ通信部と、ファクシミリ通信部によるファクシミリ通信を制御する通信制御部と、ファクシミリ通信に関する指示を受け付ける受付部とを備える。通信制御部は、受付部がファクシミリ送信ジョブを受け付けた場合に、当該ファクシミリ送信ジョブに関する予約情報を生成し、ファクシミリ通信部に、当該予約情報を他のファクシミリ装置へ送信させ、その後当該他のファクシミリ装置からの予約情報に対応するファクシミリ送信ジョブの実行要求を受信したときに、ファクシミリ送信ジョブを実行する。【選択図】図５
2015220704.tif 000002
【特許請求の範囲】
【請求項１】
ファクシミリ通信を行う通信部と、
前記通信部によるファクシミリ通信を制御する通信制御部と、
ファクシミリ通信に関する指示を受け付ける受付部とを備え、
前記通信制御部は、前記受付部がファクシミリ送信ジョブを受け付けた場合に、当該ファクシミリ送信ジョブに関する予約情報を生成し、前記通信部に、当該予約情報を予め定められたファクシミリ通信プロトコルでの通信信号を用いて他のファクシミリ装置へ送信させ、その後当該他のファクシミリ装置からの前記予約情報に対応するファクシミリ送信ジョブの実行要求を受信したときに、前記ファクシミリ送信ジョブを実行して、前記通信部に前記ファクシミリ送信ジョブに示される画像データを前記他のファクシミリ装置へ送信させる、ファクシミリ送信装置。
【請求項２】
前記通信制御部は、前記他のファクシミリ装置からの前記予約情報に対応するファクシミリ送信ジョブのキャンセル要求を受信した場合に、当該ファクシミリ送信ジョブの実行をキャンセルする、請求項１に記載のファクシミリ送信装置。
【請求項３】
前記通信制御部は、前記予約情報として、前記予約情報に対応するファクシミリ送信ジョブの実行予定時間を含む情報を前記通信部に送信させ、前記実行予定時刻までに前記他のファクシミリ装置からの前記ファクシミリ送信ジョブの実行要求を受信しない場合に、前記ファクシミリ送信ジョブの実行をキャンセルする、請求項１または請求項２に記載のファクシミリ送信装置。
【請求項４】
前記通信制御部は、前記予約情報を送信させようとする時間から前記予約情報に対応するファクシミリ送信ジョブの実行予定時間までの間隔と、予め定められた閾値とを比較して、当該間隔が前記閾値以上である場合に前記予約情報を送信させ、当該間隔が前記閾値未満である場合に前記予約情報を送信させずに前記ファクシミリ送信ジョブを実行して、前記通信部に前記ファクシミリ送信ジョブに示される画像データを前記他のファクシミリ装置へ送信させる、請求項１乃至請求項３の何れか１項に記載のファクシミリ送信装置。
【請求項５】
前記通信制御部は、生成した予約情報を記憶部に記憶させ、当該記憶部に同じ送信宛先の未送信の予約情報が予め定められた数だけ記憶されたタイミングで、前記通信部に、当該予め定められた数の未送信の予約情報を送信させる、請求項１乃至請求項４の何れか１項に記載のファクシミリ送信装置。
【請求項６】
前記通信制御部は、予約情報を送信しない通常のファクシミリ送信ジョブに示される画像データを前記通信部に送信させる際に、前記記憶部に当該通常のファクシミリ送信ジョブの送信宛先と同じ送信宛先の未送信の予約情報が記憶されている場合には、当該通常のファクシミリ送信ジョブに示される画像データとともに前記未送信の予約情報を前記通信部に送信させる、請求項５に記載のファクシミリ送信装置。
【請求項７】
前記通信制御部は、前記画像データとともに前記未送信の予約情報を送信させる場合において、前記通信部に、前記同じ送信宛先のファクシミリ送信ジョブにおける１ページ目の送信対象データとして前記未送信の予約情報を送信させ、前記同じ送信宛先のファクシミリ送信ジョブにおける２ページ目以降の送信対象データとして前記画像データを送信させる、請求項６に記載のファクシミリ送信装置。
【請求項８】
前記通信制御部は、前記他のファクシミリ装置からの送信宛先の変更または追加要求を受信した場合に、前記通信部に、前記予約情報を当該要求に示された送信宛先の他のファクシミリ装置へ送信させる、請求項１乃至請求項７の何れか１項に記載のファクシミリ送信装置。
【請求項９】
前記通信制御部は、前記予約情報として、前記予約情報を識別するための識別番号、前記予約情報に対応するファクシミリ送信ジョブの実行予定時間、および、当該ファクシミリ送信ジョブに示される画像データのページ数を含む情報を、前記通信部に送信させる、請求項１乃至請求項８の何れか１項に記載のファクシミリ送信装置。
【請求項１０】
ファクシミリ通信を行う通信部と、
前記通信部によるファクシミリ通信を制御する通信制御部と、
ファクシミリ通信に関する指示を受け付ける受付部とを備え、
前記通信制御部は、前記通信部に、予め定められたファクシミリ通信プロトコルでの通信信号により他のファクシミリ装置からのファクシミリ送信ジョブに関する予約情報を受信させ、前記受付部が前記予約情報の実行要求指示を受け付けた場合に、前記通信部に、当該実行要求を前記他のファクシミリ装置へ送信させる、ファクシミリ受信装置。
【請求項１１】
表示部および当該表示部による表示動作を制御する表示制御部を更に備え、
前記通信制御部は、前記予約情報として、前記予約情報を識別するための識別番号、前記予約情報に対応するファクシミリ送信ジョブの実行予定時間、および、当該ファクシミリ送信ジョブに示される画像データのページ数を含む情報を、前記通信部に受信させ、
前記表示制御部は、前記通信部が前記予約情報を受信した場合に、前記予約情報に含まれる前記実行予定時間および前記ページ数を表示部に表示させる、請求項１０に記載のファクシミリ受信装置。
【請求項１２】
前記受付部は、前記予約情報に対応するファクシミリ送信ジョブのキャンセル要求指示を受け付け、
前記通信制御部は、前記受付部が前記キャンセル要求指示を受け付けた場合に、前記通信部に、前記ファクシミリ送信ジョブのキャンセル要求を前記他のファクシミリ装置へ送信させる、請求項１０または請求項１１に記載のファクシミリ受信装置。
【請求項１３】
ファクシミリ送信装置とファクシミリ受信装置とを備え、
前記ファクシミリ送信装置は、
ファクシミリ通信を行う通信部と、
前記通信部によるファクシミリ通信を制御する通信制御部と、
ファクシミリ通信に関する指示を受け付ける受付部とを有し、
前記通信制御部は、前記受付部がファクシミリ送信ジョブを受け付けた場合に、当該ファクシミリ送信ジョブに関する予約情報を生成し、前記通信部に、当該予約情報を予め定められたファクシミリ通信プロトコルでの通信信号を用いて他のファクシミリ装置へ送信させ、その後当該他のファクシミリ装置からの前記予約情報に対応するファクシミリ送信ジョブの実行要求を受信したときに、前記ファクシミリ送信ジョブを実行して、前記通信部に前記ファクシミリ送信ジョブに示される画像データを前記他のファクシミリ装置へ送信させ、
前記ファクシミリ受信装置は、
ファクシミリ通信を行う通信部と、
前記通信部によるファクシミリ通信を制御する通信制御部と、
ファクシミリ通信に関する指示を受け付ける受付部とを有し、
前記通信制御部は、前記通信部に、予め定められたファクシミリ通信プロトコルでの通信信号により他のファクシミリ装置からのファクシミリ送信ジョブに関する予約情報を受信させ、前記受付部が前記予約情報の実行要求指示を受け付けた場合に、前記通信部に、当該実行要求を前記他のファクシミリ装置へ送信させる、ファクシミリ送受信装置。
【発明の詳細な説明】
【技術分野】
【０００１】
本発明は、ファクシミリ送信装置、ファクシミリ受信装置、およびファクシミリ送受信装置に関する。
【背景技術】
【０００２】
ファクシミリ通信において、画像データとともに当該画像データを印刷すべき時間（出力時間）の情報を送信側のファクシミリ装置が送信することで、受信側のファクシミリ装置が、送信側のファクシミリ装置が指定した時間に画像データを印刷することを可能にする技術が知られている（下記特許文献１参照）。
【先行技術文献】
【特許文献】
【０００３】
【特許文献１】特開２０００−５９５５０号公報
【発明の概要】
【発明が解決しようとする課題】
【０００４】
上記の特許文献１に記載される技術では、送信側のファクシミリ装置が、指定した出力時間までの間において、受信側のファクシミリ装置が画像データを印刷するジョブをキャンセルさせることができる。また、上記の特許文献１に記載される技術において、受信側のファクシミリ装置が、指定された出力時間までの間において、画像データを印刷するジョブをキャンセルできるようにすることも考えられる。
【０００５】
しかしながら、上記のように指定の出力時間までの間に画像データを印刷するジョブがキャンセルされた場合であっても、画像データは既に送信側のファクシミリ装置から受信側のファクシミリ装置へ送信されており、当該画像データを送信する際にかかる通信コストや時間が無駄になる。
【０００６】
本発明は、上記の事情に鑑みなされたものであり、画像データを印刷するジョブがキャンセルされた場合であっても、ファクシミリ通信における通信コストや時間の無駄が一般の装置と比較して少ないファクシミリ送信装置、ファクシミリ受信装置、およびファクシミリ送受信装置を提供することを目的とする。
【課題を解決するための手段】
【０００７】
本発明の一局面にかかるファクシミリ送信装置は、ファクシミリ通信を行う通信部と、前記通信部によるファクシミリ通信を制御する通信制御部と、ファクシミリ通信に関する指示を受け付ける受付部とを備え、前記通信制御部は、前記受付部がファクシミリ送信ジョブを受け付けた場合に、当該ファクシミリ送信ジョブに関する予約情報を生成し、前記通信部に、当該予約情報を予め定められたファクシミリ通信プロトコルでの通信信号を用いて他のファクシミリ装置へ送信させ、その後当該他のファクシミリ装置からの前記予約情報に対応するファクシミリ送信ジョブの実行要求を受信したときに、前記ファクシミリ送信ジョブを実行して、前記通信部に前記ファクシミリ送信ジョブに示される画像データを前記他のファクシミリ装置へ送信させる、ファクシミリ送信装置である。
【０００８】
また、本発明の他の一局面にかかるファクシミリ受信装置は、ファクシミリ通信を行う通信部と、前記通信部によるファクシミリ通信を制御する通信制御部と、ファクシミリ通信に関する指示を受け付ける受付部とを備え、前記通信制御部は、前記通信部に、予め定められたファクシミリ通信プロトコルでの通信信号により他のファクシミリ装置からのファクシミリ送信ジョブに関する予約情報を受信させ、前記受付部が前記予約情報の実行要求指示を受け付けた場合に、前記通信部に、当該実行要求を前記他のファクシミリ装置へ送信させる、ファクシミリ受信装置である。
【０００９】
また、本発明の他の一局面にかかるファクシミリ送受信装置は、上記のファクシミリ送信装置と、上記のファクシミリ受信装置とを備える。
【発明の効果】
【００１０】
上記の本発明の一局面にかかるファクシミリ送信装置、ファクシミリ受信装置、およびファクシミリ送受信装置によれば、画像データを印刷するジョブがキャンセルされた場合であっても、ファクシミリ通信における通信コストや時間の無駄が一般の装置と比較して少ない。
【図面の簡単な説明】
【００１１】
【図１】本発明の一実施形態にかかるファクシミリ装置の外観を示す斜視図である。
【図２】本発明の一実施形態にかかるファクシミリ装置の内部構成を示すブロック図である。
【図３】本発明の一実施形態にかかるファクシミリ装置の表示部および操作部の外観を示す正面図である。
【図４】本発明の一実施形態にかかるファクシミリ装置でのファクシミリ通信時における送信側及び受信側間でのファクシミリ制御信号の送受信を示すタイミングチャートである。
【図５】本発明の一実施形態にかかるファクシミリ装置での予約情報の送信時における送信側及び受信側間でのファクシミリ制御信号の送受信を示すタイミングチャートである。
【図６】本発明の一実施形態にかかるファクシミリ装置でのファクシミリ送信ジョブの実行要求の送信時における送信側及び受信側間でのファクシミリ制御信号の送受信を示すタイミングチャートである。
【図７】本発明の一実施形態にかかる送信側のファクシミリ装置おいて、予約情報の送信時における動作の流れを示すフローチャートである。
【図８】（Ａ）は、本発明の一実施形態にかかる送信側のファクシミリ装置の受付部が予約情報送信指示を受け付ける際に、表示部に表示される設定画面の一例を示す図であり、（Ｂ）は、本発明の一実施形態にかかる送信側のファクシミリ装置の受付部がファクシミリ送信ジョブの実行予定時間等を受け付ける際に、表示部に表示される設定画面の一例を示す図である。
【図９】本発明の一実施形態にかかる送信側のファクシミリ装置おいて、同じ送信宛先のファクシミリ送信ジョブに示される画像データとともに未送信の予約情報を送信する場合の動作の流れを示すフローチャートである。
【図１０】本発明の一実施形態にかかる受信側のファクシミリ装置おいて、予約情報を受信する際の動作の流れを示すフローチャートである。
【図１１】本発明の一実施形態にかかる受信側のファクシミリ装置おいて、予約情報に応答してファクシミリ送信ジョブの実行要求等を送信する場合における動作の流れを示すフローチャートである。
【図１２】本発明の一実施形態にかかるファクシミリ装置の表示部に表示される予約情報の一覧画面の一例を示す図である。
【図１３】本発明の一実施形態にかかる送信側のファクシミリ装置おいて、ファクシミリ送信ジョブの実行要求等を受信した場合における動作の流れを示すフローチャートである。
【発明を実施するための形態】
【００１２】
以下、本発明の一実施形態にかかるファクシミリ送信装置およびファクシミリ受信装置を有するファクシミリ装置（ファクシミリ送受信装置）について図面を参照して説明する。図１は、本発明の一実施形態にかかるファクシミリ装置の外観を示す斜視図である。図２は、本発明の一実施形態にかかるファクシミリ装置の内部構成を示すブロック図である。
【００１３】
ファクシミリ装置１は、例えば、ファクシミリ機能の他に、コピー機能、プリンター機能、及びスキャナー機能等の複数の機能を兼ね備えた複合機である。図１に示すように、ファクシミリ装置１は、装置本体２と、装置本体２の上方に配置された画像読取部１０と、画像読取部１０と装置本体２との間に設けられた連結部３とから概略構成される。
【００１４】
画像読取部１０は、原稿搬送部６と、原稿搬送部６により搬送されてくる原稿又は不図示のコンタクトガラスに載置された原稿を光学的に読み取るスキャナーとを有するＡＤＦ（Auto Document Feeder）である。画像読取部１０は、ファクシミリ送信対象の原稿を１枚ずつ読み取ることで、ファクシミリ送信対象となる画像データを取得する。
【００１５】
画像メモリー２０は、画像読取部１０によって読み取られた原稿の画像データ等のファクシミリ送信の対象となる画像データを一時的に記憶する領域である。また、画像メモリー２０は、他のファクシミリ装置からファクシミリ通信により送信され、後述するファクシミリ通信部７０を介して受信された画像データを一時的に記憶する領域としても機能する。当該画像データは、画像形成部３０の印刷対象となる。
【００１６】
画像形成部３０は、画像メモリー２０に記憶されている画像データを読み出し、当該画像データを用いて給紙部４から供給される用紙に画像を形成（印刷）する。印刷済みの用紙は、排出トレイ５に排出される。
【００１７】
表示部４０は、ファクシミリ装置１の前面側に配置され、液晶ディスプレイ（ＬＣＤ：Liquid Crystal Display）や有機ＥＬ（ＯＬＥＤ：Organic Light-Emitting Diode）ディスプレイを含んで構成される。図３に示すように、表示部４０には、ファクシミリ送信やファクシミリ受信に関する設定を受け付けるための設定画面等が表示される。
【００１８】
操作部５０は、例えば、ファクシミリ送信の開始や原稿の読み取りの開始を指示するためのスタートキー、メニュー画面を構成するＧＵＩに対して確定操作を行う決定キー（エンターキー）、数値入力を行うための数値入力キー等を備え、表示部４０に表示されるメニュー画面に対する操作をユーザーから受け付ける。
【００１９】
記憶部６０は、ＨＤＤ（Hard Disk Drive）等の大容量の記憶装置である。
【００２０】
ファクシミリ通信部７０は、不図示の符号化／復号化部、変復調部、およびＮＣＵ（Network Control Unit）等を備える。ファクシミリ装置１は、ＰＳＴＮ（Public Switched Telephone Networks：公衆回線網）を介して、ファクシミリ装置１と同様の構成からなる他のファクシミリ装置１ａと接続されている。ファクシミリ通信部７０は、後述する制御ユニット１００の通信制御部１０２による制御の下、他のファクシミリ装置１ａとの間でＰＳＴＮを用いたファクシミリ送信およびファクシミリ受信を行う。
【００２１】
ファクシミリ装置１は、更に、制御ユニット１００を備えている。制御ユニット１００は、ＣＰＵ(Central Processing Unit)、ＲＡＭ（Random Access Memory）、及びＲＯＭ（Read Only Memory）等から構成される。制御ユニット１００は、上記のＲＯＭ又は記憶部６０に記憶されたファクシミリ制御プログラムが上記のＣＰＵに実行されることにより、制御部１０１、通信制御部１０２、および受付部１０３として機能する。なお、制御ユニット１００の制御部１０１、通信制御部１０２、および受付部１０３は、前述のファクシミリ制御プログラムに基づく動作によらず、それぞれハード回路により構成されてもよい。
【００２２】
制御部１０１は、ファクシミリ装置１の全体的な動作制御を司る。制御部１０１は、画像読取部１０、画像メモリー２０、画像形成部３０、表示部４０、操作部５０、記憶部６０、およびファクシミリ通信部７０等と接続されており、接続されている上記各機構の動作制御や、各機構との間での信号又はデータの送受信を行う。
【００２３】
通信制御部１０２は、ファクシミリ通信部７０を介して、予め定められたファクシミリ通信プロトコルでの通信信号を用いたファクシミリ通信によるデータの送受信を制御する。
【００２４】
受付部１０３は、表示部４０に表示された設定画面に基づいて操作部５０等を用いて入力されるユーザー操作に応じて、ファクシミリ通信に関する指示等を受け付ける。
【００２５】
次に、ファクシミリ通信におけるファクシミリ制御信号の送受信について説明する。図４は、Ｔ．３０プロトコルに基づくファクシミリ通信時における送信側及び受信側間でのファクシミリ制御信号の送受信を示すタイミングチャートである。
【００２６】
送信側（発呼側）のファクシミリ装置１は、受付部１０３が受け付けたファクシミリ送信指示（ファクシミリ送信ジョブ）に基づき、受信側（被呼側）となるファクシミリ装置１ａに対してダイヤリングを行い、呼び出し信号であるＣＮＧ信号を送信する（♯１）。
【００２７】
受信側のファクシミリ装置１ａは上記ＣＮＧ信号を受信すると、これに対する応答信号としてのＣＥＤ信号と、自身が有するオプション機能を表す非標準機能識別信号としてのＮＳＦ信号と、受信側の装置機能（CCITT仕様等）を知らせるＤＩＳ信号を送信側のファクシミリ装置１に送り返す（♯２）。ＮＳＦ信号は、固有の標準方式ではない特殊ファシリティを通知するためのＴ．３０プロトコルによるメッセージ信号である。
【００２８】
ＣＥＤ信号、ＮＳＦ信号およびＤＩＳ信号を受信した送信側のファクシミリ装置１は、送信側の装置機能（CCITT仕様等）を知らせるＤＣＳ信号と、ＮＳＦ信号に応答する非標準機能識別信号としてのＮＳＳ信号と、モデムトレーニング用のＴＣＦ信号とを、受信側のファクシミリ装置１ａに対して送信する（♯３）。すなわち、受信側のファクシミリ装置１ａからＮＳＦ信号により特殊ファシリティが通知されているため、自身が当該特殊ファシリティに対応する機能を有している場合には、対応可能である旨を送信側のファクシミリ装置１から受信側のファクシミリ装置１ａに対してＮＳＳ信号により通知する。本実施形態では、当該ＮＳＦ信号及びＮＳＳ信号に、後述する予約情報の送信に必要な情報が付加されて通信される。
【００２９】
上記ＤＣＳ信号、ＮＳＳ信号及びＴＣＦ信号を受信した受信側のファクシミリ装置１ａは、受信成功を示すＣＦＲ信号を送信側のファクシミリ装置１に返信する（♯４）。
【００３０】
送信側のファクシミリ装置１がＣＦＲ信号を受信すると、ファクシミリ送信ジョブにおいて送信対象とする圧縮・符号されたデータ（ＰＩＸ）の第１ページ目のデータを、受信側のファクシミリ装置１ａに対して送信する（♯５）。さらに、送信側のファクシミリ装置１は、送信対象とする他ページのデータが存在する場合は、他ページのデータが存在することを示すＭＰＳ信号を受信側のファクシミリ装置１ａに送信する。
【００３１】
受信側のファクシミリ装置１ａは、受信した第１ページ目のデータを画像メモリーに一時的に記憶させる。そして、受信側のファクシミリ装置１ａは、第１ページ目のデータを正しく受信したことを示すＭＣＦ信号を送信側のファクシミリ装置１に対して送信する（♯６）。
【００３２】
送信側のファクシミリ装置１は、受信側のファクシミリ装置１ａからＭＣＦ信号を受信すると、送信対象の次ページのデータがある限り次ページのデータおよびＭＰＳ信号を受信側のファクシミリ装置１ａに送信する。この場合、受信側のファクシミリ装置１ａでは、受信したページのデータを画像メモリーに一時的に記憶させてＭＣＦ信号を送信側のファクシミリ装置１に送信する♯６の処理を繰り返す。以降、送信側のファクシミリ装置１が送信対象とする全ページのデータを受信先のファクシミリ装置１ａに送信完了するまで、♯５及び♯６の処理が繰り返される。
【００３３】
そして、送信側のファクシミリ装置１が送信対象とする最終ページのデータを受信側のファクシミリ装置１ａに送信したときには、データ送信を終了することを示すＥＯＰ信号を受信側のファクシミリ装置１ａに送信する（♯７）。受信側のファクシミリ装置１ａは、最終ページのデータを受信したことを示すＭＣＦ信号を送信側のファクシミリ装置１に返信する（♯８）。
【００３４】
送信側のファクシミリ装置１は、ＥＯＰ信号を送信した後に受信側のファクシミリ装置１ａから上記のＭＣＦ信号を受信すると、受信側のファクシミリ装置１ａにＤＣＮ信号を送信して回線を遮断する（♯９）。
【００３５】
本発明の一実施形態にかかるファクシミリ装置１では、受付部１０３がファクシミリ送信ジョブを受け付けた場合に、通信制御部１０２が当該ファクシミリ送信ジョブに関する予約情報を生成する。予約情報には、予約情報を識別するための予約ＩＤ（識別番号）、予約情報に対応するファクシミリ送信ジョブの実行予定時間、および、当該ファクシミリ送信ジョブに示される画像データのページ数が含まれる。通信制御部１０２は、当該生成した予約情報の送信に必要な情報をＮＳＦ信号及びＮＳＳ信号に付加してファクシミリ通信部７０に送信させる。また、通信制御部１０２は、当該生成した予約情報をＴ．３０プロトコルでの通信信号における送信対象の圧縮・符号されたデータ（ＰＩＸ）としてファクシミリ通信部７０に送信させる。
【００３６】
図５は、予約情報の送信時における送信側及び受信側間でのファクシミリ制御信号の送受信を示すタイミングチャートである。予約情報の送信時において、受信側のファクシミリ装置１ａは、ＮＳＦ信号に予約情報送信モード対応フラグの情報を付加して送信側のファクシミリ装置１へ送信する。予約情報送信モード対応フラグは、予約情報送信モードに対応する機能を有しているか否かを示すフラグである。図５に示す例では、「予約情報送信モード対応フラグ＝ＯＮ」の情報がＮＳＦ信号に付加されて送信側のファクシミリ装置１へ送信されている（♯２）。送信側のファクシミリ装置１は、このＮＳＦ信号を受信することで、受信側のファクシミリ装置１ａが予約情報送信モードに対応する機能を有していることを知る。
【００３７】
また、予約情報の送信時において、送信側のファクシミリ装置１は、ＮＳＳ信号に、予約情報送信モードフラグ、予約即時通信指定フラグ、および予約ＩＤの情報を付加して受信側のファクシミリ装置１ａに送信する。予約情報送信モードフラグは、予約情報を圧縮・符号されたデータ（ＰＩＸ）として送信するか否かを示すフラグである。予約即時通信指定フラグおよび予約ＩＤの詳細な内容については後述する。図５に示す例では、「予約情報送信モードフラグ＝ＯＮ」の情報、「予約即時通信指定フラグ＝ＯＦＦ」の情報、および「予約ＩＤ＝ＮＵＬＬ」の情報がＮＳＳ信号に付加されて受信側のファクシミリ装置１ａへ送信されている（♯３）。受信側のファクシミリ装置１ａは、このＮＳＳ信号を受信することで、送信側のファクシミリ装置１から予約情報が圧縮・符号されたデータ（ＰＩＸ）として送信されることを知る。
【００３８】
図５に示す例では、受信側のファクシミリ装置１ａが予約情報送信モードに対応する機能を有しているため、送信側のファクシミリ装置１は、ＣＦＲ信号の受信後に、予約情報を圧縮・符号されたデータ（ＰＩＸ）として受信側のファクシミリ装置１ａへ送信する（♯５）。
【００３９】
その後、送信側のファクシミリ装置１は、ＥＯＰ信号を送信した後に受信側のファクシミリ装置１ａから上記のＭＣＦ信号を受信すると、受信側のファクシミリ装置１ａにＤＣＮ信号を送信して回線を遮断する（♯７）。
【００４０】
続いて、受信側のファクシミリ装置１ａにおいて、予約情報に対応するファクシミリ送信ジョブの実行要求指示を受付部１０３が受け付けた場合におけるファクシミリ制御信号の送受信について説明する。
【００４１】
図６は、ファクシミリ送信ジョブの実行要求の送信時における送信側及び受信側間でのファクシミリ制御信号の送受信を示すタイミングチャートである。予約情報に対応するファクシミリ送信ジョブの実行要求指示を受付部１０３が受け付けた場合において、受信側のファクシミリ装置１ａは、送信側のファクシミリ装置１に対してダイヤリングを行い、呼び出し信号であるＣＮＧ信号を送信する（♯１）。
【００４２】
送信側のファクシミリ装置１は、ＮＳＦ信号に予約情報送信モード対応フラグの情報を付加して受信側のファクシミリ装置１ａへ送信する。図６に示す例では、「予約情報送信モード対応フラグ＝ＯＮ」の情報がＮＳＦ信号に付加されて受信側のファクシミリ装置１ａへ送信されている（♯２）。
【００４３】
受信側のファクシミリ装置１ａは、ＮＳＦ信号を受信した後、ＮＳＳ信号に、予約情報送信モードフラグ、予約即時通信指定フラグ、および予約ＩＤの情報を付加して送信側のファクシミリ装置１に送信する。予約即時通信指定フラグは、送信側のファクシミリ装置１に予約情報に対応するファクシミリ送信ジョブの実行を要求するか否かを示すフラグである。予約ＩＤは、予約即時通信指定フラグがＯＮの場合に、送信側のファクシミリ装置１が実行すべきファクシミリ送信ジョブを示す予約情報を識別するための識別子である。図６に示す例では、「予約情報送信モードフラグ＝ＯＦＦ」の情報、「予約即時通信指定フラグ＝ＯＮ」の情報、および「予約ＩＤ＝１」の情報がＮＳＳ信号に付加されて送信側のファクシミリ装置１へ送信されている（♯３）。送信側のファクシミリ装置１は、このＮＳＳ信号を受信することで、受信側のファクシミリ装置１ａから予約ＩＤ＝１の予約情報に対応するファクシミリ送信ジョブの実行が要求されていることを知る。
【００４４】
その後、送信側のファクシミリ装置１は、受信側のファクシミリ装置１ａにＤＣＮ信号を送信して回線を遮断する（♯４）。回線の遮断後、送信側のファクシミリ装置１は、予約ＩＤ＝１の予約情報に対応するファクシミリ送信ジョブを実行して、ファクシミリ送信ジョブの送信対象の画像データを受信側のファクシミリ装置１ａへ送信する。
【００４５】
次に、送信側のファクシミリ装置１と受信側のファクシミリ装置１ａの具体的な動作の流れについて説明する。図７は、予約情報の送信時における送信側のファクシミリ装置１の動作の流れを示すフローチャートである。
【００４６】
送信側のファクシミリ装置１の受付部１０３は、操作部５０等を用いて入力されるユーザー操作に応じて、予約情報送信指示を受け付けたか否かを判定する（ステップＳ１０）。
【００４７】
図８（Ａ）は、受付部１０３が予約情報送信指示を受け付ける際に、表示部４０に表示される設定画面の一例を示す図である。図８（Ａ）に示す例では、制御部１０１による制御のもと、表示部４０にボタンｄ１およびボタンｄ２を含む設定画面Ｄ１が表示されている。受付部１０３は、ユーザー操作によりボタンｄ１が選択された場合に、予約情報を送信しない通常のファクシミリ送信モードの選択を受け付ける。一方、受付部１０３は、ユーザー操作によりボタンｄ２が選択された場合に、予約情報を送信する予約情報送信モードの選択を受け付ける。
【００４８】
予約情報を送信する予約情報送信モードの選択を受け付け後、受付部１０３は、操作部５０等を用いて入力されるユーザー操作に応じて、予約情報の送信宛先、予約情報に対応するファクシミリ送信ジョブの実行予定時間、および、当該ファクシミリ送信ジョブに示される画像データのページ数を受け付ける。図８（Ｂ）は、受付部１０３がファクシミリ送信ジョブの実行予定時間等を受け付ける際に、表示部４０に表示される設定画面の一例を示す図である。図８（Ｂ）に示す例では、制御部１０１による制御のもと、表示部４０に入力欄ｄ３、ｄ４、ｄ５を含む設定画面Ｄ２が表示されている。受付部１０３は、ユーザー操作により、入力欄ｄ３、ｄ４、ｄ５にファクシミリ送信ジョブの実行予定時間等の情報が入力され、「ＯＫ」のボタンが選択された場合に、当該入力欄ｄ３、ｄ４、ｄ５に入力された情報を、予約情報の送信宛先、ファクシミリ送信ジョブの実行予定時間、および画像データのページ数として受け付ける。
【００４９】
予約情報送信指示を受け付けた場合（ステップＳ１０においてＹＥＳ）、通信制御部１０２は、ファクシミリ通信部７０を介して、受信側のファクシミリ装置１ａを呼び出す（ステップＳ１１）。
【００５０】
通信制御部１０２は、ファクシミリ通信部７０に、受信側のファクシミリ装置１ａからＮＳＦ信号を受信させる（ステップＳ１２）。
【００５１】
ＮＳＦ信号の受信後、通信制御部１０２は、ＮＳＦ信号に含まれる予約情報送信モード対応フラグがＯＮであるか否かを判定する（ステップＳ１３）。
【００５２】
予約情報送信モード対応フラグがＯＮの場合（ステップＳ１３においてＹＥＳ）、通信制御部１０２は、予約情報送信モードフラグをＯＮとするＮＳＳ信号を生成して、当該生成したＮＳＳ信号をファクシミリ通信部に、受信側のファクシミリ装置１ａへ送信させる（ステップＳ１４）。
【００５３】
ＮＳＳ信号の送信後、通信制御部１０２は、受付部１０３が受け付けたファクシミリ送信ジョブに関する予約情報を生成し、当該生成した予約情報を圧縮・符号されたデータ（ＰＩＸ）としてファクシミリ通信部７０に送信させる（ステップＳ１５）。予約情報は、予約情報を識別するための予約ＩＤ、予約情報に対応するファクシミリ送信ジョブの実行予定時間、および、当該ファクシミリ送信ジョブに示される画像データのページ数が含まれる。予約ＩＤは、当該予約情報に固有の番号が通信制御部１０２により設定される。また、ファクシミリ送信ジョブの実行予定時間および画像データのページ数は、ステップＳ１０の処理において受付部１０３により受け付けられる情報である。
【００５４】
一方、予約情報送信モード対応フラグがＯＦＦの場合（ステップＳ１３においてＮＯ）、制御部１０１は、表示部４０に予め定められた報知画面を表示させる（ステップＳ１７）。この予め定められた報知画面とは、受信側のファクシミリ装置１ａが予約情報送信モードに対応する機能を有していないことをユーザーに報知するための画面である。
【００５５】
ステップＳ１５またはステップＳ１７の処理後、通信制御部１０２は、受信側のファクシミリ装置１ａにＤＣＮ信号を送信して回線を遮断する（ステップＳ１６）。
【００５６】
なお上記では、通信制御部１０２が、予約情報のみを送信するために受信側のファクシミリ装置１ａを呼び出し、予約情報のみを受信側のファクシミリ装置１ａに送信する場合について説明したが、本発明は必ずしもこの場合に限定されない。
【００５７】
通信制御部１０２は、未送信の予約情報に示される送信宛先と同じ送信宛先のファクシミリ送信ジョブに示される画像データをファクシミリ通信部７０に送信させる場合に、当該同じ送信宛先のファクシミリ送信ジョブに示される画像データとともに未送信の予約情報をファクシミリ通信部７０に送信させてもよい。
【００５８】
図９は、同じ送信宛先のファクシミリ送信ジョブに示される画像データとともに未送信の予約情報を送信する場合の送信側のファクシミリ装置１の動作の流れを示すフローチャートである。
【００５９】
受付部１０３は、操作部５０等を用いて入力されるユーザー操作に応じて、予約情報を送信しない通常のファクシミリ送信指示を受け付けたか否かを判定する（ステップＳ２０）。通常のファクシミリ送信指示を受け付けた場合（ステップＳ２０においてＹＥＳ）、通信制御部１０２は、ファクシミリ通信部７０を介して、受信側のファクシミリ装置１ａを呼び出す（ステップＳ２１）。そして、通信制御部１０２は、ファクシミリ通信部７０に、受信側のファクシミリ装置１ａからＮＳＦ信号を受信させる（ステップＳ２２）。
【００６０】
ＮＳＦ信号の受信後、通信制御部１０２は、ＮＳＦ信号に含まれる予約情報送信モード対応フラグがＯＮであるか否かを判定する（ステップＳ２３）。予約情報送信モード対応フラグがＯＮの場合（ステップＳ２３においてＹＥＳ）、通信制御部１０２は、記憶部６０に記憶されているデータを読み出し、未送信の予約情報があるか否かを判定する（ステップＳ２４）。
【００６１】
未送信の予約情報がある場合（ステップＳ２４においてＹＥＳ）、通信制御部１０２は、未送信の予約情報に、送信宛先を当該ファクシミリ送信指示に示される送信宛先と同じ宛先とするものがあるか否かを判定する（ステップＳ２５）。
【００６２】
当該ファクシミリ送信指示に示される送信宛先と同じ宛先の未送信の予約情報がある場合（ステップＳ２５においてＹＥＳ）、通信制御部１０２は、予約情報送信モードフラグをＯＮとするＮＳＳ信号を生成して、当該生成したＮＳＳ信号をファクシミリ通信部７０に、受信側のファクシミリ装置１ａへ送信させる（ステップＳ２６）。
【００６３】
ＮＳＳ信号の送信後、通信制御部１０２は、ファクシミリ通信部７０に、未送信の予約情報を、同じ送信宛先のファクシミリ送信ジョブにおける１ページ目の圧縮・符号されたデータ（送信対象データ）として、受信側のファクシミリ装置１ａへ送信させる（ステップＳ２７）。
【００６４】
ステップＳ２７の処理後、通信制御部１０２は、ファクシミリ通信部７０に、当該ファクシミリ送信ジョブの送信対象の画像データを、同じ送信宛先のファクシミリ送信ジョブにおける２ページ目以降の圧縮・符号されたデータ（送信対象データ）として、受信側のファクシミリ装置１ａへ送信させる（ステップＳ２８）。
【００６５】
一方、予約情報送信モード対応フラグがＯＦＦの場合（ステップＳ２３においてＮＯ）、未送信の予約情報がない場合（ステップＳ２４においてＮＯ）、またはファクシミリ送信指示に示される送信宛先と同じ宛先の未送信の予約情報がない場合（ステップＳ２５においてＮＯ）、通信制御部１０２は、ファクシミリ通信部７０に、ファクシミリ送信ジョブの送信対象の画像データを１ページ目の圧縮・符号されたデータ（送信対象データ）として、受信側のファクシミリ装置１ａへ送信させる（ステップＳ２９）。
【００６６】
ステップＳ２８またはステップＳ２９の処理後、通信制御部１０２は、受信側のファクシミリ装置１ａにＤＣＮ信号を送信して回線を遮断する（ステップＳ３０）。
【００６７】
続いて、受信側のファクシミリ装置１ａの動作について説明する。図１０は、予約情報を受信する際の受信側のファクシミリ装置１ａの動作の流れを示すフローチャートである。
【００６８】
通信制御部１０２は、送信側のファクシミリ装置１ａからの呼び出しを検出した場合（ステップＳ８０においてＹＥＳ）、予約情報送信モード対応フラグをＯＮとするＮＳＦ信号を生成して、当該生成したＮＳＦ信号をファクシミリ通信部７０に送信側のファクシミリ装置１へ送信させる（ステップＳ８１）。ＮＳＦ信号の送信後、通信制御部１０２は、ファクシミリ通信部７０に送信側のファクシミリ装置１からのＮＳＳ信号を受信させる（ステップＳ８２）。
【００６９】
ＮＳＳ信号の予約情報送信モードフラグがＯＮの場合（ステップＳ８３においてＹＥＳ）、通信制御部１０２は、ファクシミリ通信部７０に圧縮・符号されたデータ（ＰＩＸ）を受信させる（ステップＳ８４）。ステップＳ８４の処理後、通信制御部１０２は、送信側のファクシミリ装置１ａからのＤＣＮ信号をファクシミリ通信部７０に受信させる（ステップＳ８５）。これにより回線が遮断される。
【００７０】
回線の遮断後、通信制御部１０２は、受信した圧縮・符号されたデータ（ＰＩＸ）の１ページ目のデータを予約情報であると特定し、受信した圧縮・符号されたデータ（ＰＩＸ）の２ページ目以降のデータを印刷対象の画像データであると特定する（ステップＳ８６）。
【００７１】
その後、制御部１０１は、ステップＳ８６の処理で特定された予約情報の一覧を示す一覧画面（図１２参照）を表示部４０に表示させる（ステップＳ８７）。また、画像形成部３０は、制御部１０１の制御のもと、ステップＳ８６の処理で特定された印刷対象の画像データを印刷する（ステップＳ８８）。
【００７２】
一方、ＮＳＳ信号の予約情報送信モードフラグがＯＦＦの場合（ステップＳ８３においてＮＯ）、通信制御部１０２は、ファクシミリ通信部７０に、圧縮・符号されたデータ（ＰＩＸ）を受信させ（ステップＳ８９）、その後、送信側のファクシミリ装置１ａからのＤＣＮ信号を受信させる（ステップＳ９０）。
【００７３】
そして回線の遮断後、画像形成部３０は、制御部１０１の制御のもと、ステップＳ８９の処理で受信した圧縮・符号されたデータ（ＰＩＸ）を印刷する（ステップＳ９１）。
【００７４】
受信側のファクシミリ装置１ａは、上記の処理により受信した予約情報に応答してファクシミリ送信ジョブの実行要求等を送信側のファクシミリ装置１へ送信する。図１１は、予約情報に応答してファクシミリ送信ジョブの実行要求等を送信する場合における受信側のファクシミリ装置１ａの動作の流れを示すフローチャートである。
【００７５】
受付部１０３は、ファクシミリ通信部７０が予約情報を受信したか、または、操作部５０等を用いて入力されるユーザー操作に応じて、予約情報の一覧画面を表示させる旨の指示を受け付けたか否かを判定する（ステップＳ４０）。
【００７６】
予約情報を受信または予約情報の一覧画面を表示させる指示を受け付けた場合（ステップＳ４０においてＹＥＳ）、制御部１０１は、受信側のファクシミリ装置１ａが保有している予約情報の一覧を示す一覧画面を表示部４０に表示させる（ステップＳ４１）。図１２は、表示部４０に表示される予約情報の一覧画面の一例を示す図である。図１２に示す例では、制御部１０１による制御のもと、予約情報の送信元宛先、予約情報を受信した時間を示す予約情報受信時間、予約情報に対応するファクシミリ送信ジョブの実行予定時間、および当該ファクシミリ送信ジョブに示される画像データのページ数等の予約情報の内容が表示された複数の表示欄ｄ６〜ｄ９を含む一覧画面Ｄ３が表示部４０に表示されている。受付部１０３は、例えば、ユーザー操作により表示欄ｄ６が選択された場合に、送信元宛先がＡ社である予約情報に対するファクシミリ送信ジョブの実行要求指示、ファクシミリ送信ジョブのキャンセル要求指示、予約情報の送信宛先の変更要求指示、または予約情報の送信宛先の追加要求指示等の指示を受け付ける。
【００７７】
受付部１０３が予約情報に対応するファクシミリ送信ジョブの実行要求指示を受け付けた場合（ステップＳ４２においてＹＥＳ）、通信制御部１０２は、ステップＳ４３およびＳ４４の処理において、送信側のファクシミリ装置１の呼び出しおよびＮＳＦ信号の受信を行う。ＮＳＦ信号の受信後、通信制御部１０２は、予約即時通信指定フラグをＯＮとし、予約ＩＤをステップＳ４０の処理で受付部１０３が受け付けた予約情報のＩＤとするＮＳＳ信号を生成して、当該生成したＮＳＳ信号をファクシミリ通信部７０に、送信側のファクシミリ装置１へ送信させる（ステップＳ４５）。
【００７８】
受付部１０３が予約情報に対応するファクシミリ送信ジョブのキャンセル要求指示を受け付けた場合（ステップＳ４６においてＹＥＳ）、通信制御部１０２は、ステップＳ４７およびＳ４８の処理において、送信側のファクシミリ装置１の呼び出しおよびＮＳＦ信号の受信を行う。ＮＳＦ信号の受信後、通信制御部１０２は、予約キャンセル指定フラグをＯＮとし、予約ＩＤをステップＳ４０の処理で受付部１０３が受け付けた予約情報のＩＤとするＮＳＳ信号を生成して、当該生成したＮＳＳ信号をファクシミリ通信部７０に、送信側のファクシミリ装置１へ送信させる（ステップＳ４９）。ここで、予約キャンセル指定フラグは、送信側のファクシミリ装置１に予約情報に対応するファクシミリ送信ジョブのキャンセルを要求するか否かを示すフラグである。送信側のファクシミリ装置１は、この予約キャンセル指定フラグを参照することで、受信側のファクシミリ装置１ａからファクシミリ送信ジョブのキャンセルが要求されているか否かを知る。
【００７９】
受付部１０３が予約情報の送信宛先の変更要求指示を受け付けた場合（ステップＳ５０においてＹＥＳ）、通信制御部１０２は、ステップＳ５１およびＳ５２の処理において、送信側のファクシミリ装置１の呼び出しおよびＮＳＦ信号の受信を行う。ＮＳＦ信号の受信後、通信制御部１０２は、予約宛先変更指定フラグをＯＮとし、変更後宛先をステップＳ４０の処理で受付部１０３が受け付けた宛先とし、予約ＩＤをステップＳ４０の処理で受付部１０３が受け付けた予約情報のＩＤとするＮＳＳ信号を生成して、当該生成したＮＳＳ信号をファクシミリ通信部７０に、送信側のファクシミリ装置１へ送信させる（ステップＳ５３）。ここで、予約宛先変更指定フラグは、予約情報の送信宛先の変更を要求するか否かを示すフラグである。また変更後宛先とは、送信宛先の変更を要求する際の変更後の宛先を示す情報である。送信側のファクシミリ装置１は、この予約宛先変更指定フラグおよび変更後宛先を参照することで、受信側のファクシミリ装置１ａから予約情報の送信宛先の変更が要求されているか否かを知る。
【００８０】
受付部１０３が予約情報の送信宛先の追加要求指示を受け付けた場合（ステップＳ５４においてＹＥＳ）、通信制御部１０２は、ステップＳ５５およびＳ５６の処理において、送信側のファクシミリ装置１の呼び出しおよびＮＳＦ信号の受信を行う。ＮＳＦ信号の受信後、通信制御部１０２は、予約宛先追加指定フラグをＯＮとし、追加宛先をステップＳ４０の処理で受付部１０３が受け付けた宛先とし、予約ＩＤをステップＳ４０の処理で受付部１０３が受け付けた予約情報のＩＤとするＮＳＳ信号を生成して、当該生成したＮＳＳ信号をファクシミリ通信部７０に、送信側のファクシミリ装置１へ送信させる（ステップＳ５７）。ここで、予約宛先追加指定フラグは、予約情報の送信宛先の追加を要求するか否かを示すフラグである。また追加宛先とは、送信宛先の追加を要求する際の追加する宛先を示す情報である。送信側のファクシミリ装置１は、この予約宛先追加指定フラグおよび追加宛先を参照することで、受信側のファクシミリ装置１ａから予約情報の送信宛先の追加が要求されているか否かを知る。
【００８１】
ステップＳ４５、ステップＳ４９、ステップＳ５３、またはステップＳ５７の処理後、通信制御部１０２は、送信側のファクシミリ装置１にＤＣＮ信号を送信して回線を遮断する（ステップＳ５８）。
【００８２】
送信側のファクシミリ装置１は、上記の処理により送信されたファクシミリ送信ジョブの実行要求等に応じた処理を行う。図１３は、ファクシミリ送信ジョブの実行要求等を受信した場合における送信側のファクシミリ装置１の動作の流れを示すフローチャートである。
【００８３】
通信制御部１０２は、受信側のファクシミリ装置１ａからの呼び出しを検出した場合（ステップＳ６０においてＹＥＳ）、予約情報送信モード対応フラグをＯＮとするＮＳＦ信号を生成して、当該生成したＮＳＦ信号をファクシミリ通信部７０に受信側のファクシミリ装置１ａへ送信させる（ステップＳ６１）。ＮＳＦ信号の送信後、通信制御部１０２は、ファクシミリ通信部７０に受信側のファクシミリ装置１ａからのＮＳＳ信号を受信させる（ステップＳ６２）。
【００８４】
ＮＳＳ信号の予約即時通信指定フラグがＯＮの場合（ステップＳ６３においてＹＥＳ）、通信制御部１０２は、ＮＳＳ信号の予約ＩＤに示される予約情報に対応するファクシミリ送信ジョブを実行して、ファクシミリ送信ジョブの送信対象の画像データを受信側のファクシミリ装置１ａへ送信する（ステップＳ６４）。
【００８５】
ＮＳＳ信号の予約キャンセルフラグがＯＮの場合（ステップＳ６５においてＹＥＳ）、通信制御部１０２は、ＮＳＳ信号の予約ＩＤに示される予約情報に対応するファクシミリ送信ジョブをキャンセルする（ステップＳ６６）。
【００８６】
ＮＳＳ信号の予約宛先変更指定フラグがＯＮの場合（ステップＳ６７においてＹＥＳ）、通信制御部１０２は、ＮＳＳ信号の予約ＩＤに示される予約情報の送信宛先を変更する（ステップＳ６８）。具体的には通信制御部１０２は、ＮＳＳ信号の変更宛先に示される宛先を送信宛先として予約情報をファクシミリ通信部７０に送信させる。その一方、通信制御部１０２は、当該ＮＳＳ信号の送信元のファクシミリ装置を送信宛先とする予約情報をキャンセルする。
【００８７】
ＮＳＳ信号の予約宛先追加指定フラグがＯＮの場合（ステップＳ６９においてＹＥＳ）、通信制御部１０２は、ＮＳＳ信号の予約ＩＤに示される予約情報の送信宛先を追加する（ステップＳ７０）。具体的には通信制御部１０２は、ＮＳＳ信号の追加宛先に示される宛先を送信宛先として予約情報をファクシミリ通信部７０に送信させる。
【００８８】
以上のように、本発明の一実施形態にかかるファクシミリ装置１は、通信制御部１０２が、受付部１０３がファクシミリ送信ジョブを受け付けた場合に、当該ファクシミリ送信ジョブに関する予約情報を生成し、ファクシミリ通信部７０に、当該予約情報を予め定められたファクシミリ通信プロトコルでの通信信号を用いて他のファクシミリ装置へ送信させ、その後当該他のファクシミリ装置からの予約情報に対応するファクシミリ送信ジョブの実行要求を受信したときに、ファクシミリ送信ジョブを実行して、ファクシミリ通信部７０にファクシミリ送信ジョブに示される画像データを他のファクシミリ装置へ送信させる。
【００８９】
上記の構成によれば、ファクシミリ送信ジョブを受け付けた場合に、当該ファクシミリ送信ジョブに示される画像データを送信する前に、当該ファクシミリ送信ジョブに関する予約情報を送信している。そして、他のファクシミリ装置から予約情報に対応するファクシミリ送信ジョブの実行要求を受信することを条件にファクシミリ送信ジョブに示される画像データを送信しているため、ファクシミリ送信ジョブがキャンセルされた場合であっても、その際に生じるファクシミリ通信における通信コストや時間の無駄が一般の装置と比較して少ない。
【００９０】
また、本発明の一実施形態にかかるファクシミリ装置１は、通信制御部１０２が、他のファクシミリ装置からの予約情報に対応するファクシミリ送信ジョブのキャンセル要求を受信した場合に、当該ファクシミリ送信ジョブの実行をキャンセルする。
【００９１】
上記の構成によれば、予約情報を受信した受信側のファクシミリ装置からファクシミリ送信ジョブの実行をキャンセルすることができる。これにより、受信側のファクシミリ装置において必要のない印刷が行われることを防止することができる。
【００９２】
また、本発明の一実施形態にかかるファクシミリ装置１は、通信制御部１０２が、予約情報として、予約情報に対応するファクシミリ送信ジョブの実行予定時間を含む情報をファクシミリ通信部７０に送信させ、実行予定時刻までに他のファクシミリ装置からのファクシミリ送信ジョブの実行要求を受信しない場合に、ファクシミリ送信ジョブの実行をキャンセルする。
【００９３】
上記の構成によれば、ユーザーが意図した実行予定時刻を過ぎてファクシミリ送信ジョブが実行される事態を回避することができる。また、実行予定時刻までに受信側のファクシミリ装置からファクシミリ送信ジョブの実行要求が送信されないということは、受信側のファクシミリ装置おいて当該ファクシミリ送信ジョブに示される画像データを受信することが必要とされていない可能性が高い。このため、受信の必要性が低い画像データを送信することによりファクシミリ通信における通信コストや時間の無駄が生じる事態を回避することができる。
【００９４】
また、本発明の一実施形態にかかるファクシミリ装置１は、通信制御部１０２が、予約情報を送信しない通常のファクシミリ送信ジョブに示される画像データをファクシミリ通信部７０に送信させる際に、記憶部６０に当該通常のファクシミリ送信ジョブの送信宛先と同じ送信宛先の未送信の予約情報が記憶されている場合には、当該通常のファクシミリ送信ジョブに示される画像データとともに未送信の予約情報をファクシミリ通信部７０に送信させる。
【００９５】
また、通信制御部１０２は、画像データとともに未送信の予約情報を送信させる場合において、ファクシミリ通信部７０に、同じ送信宛先のファクシミリ送信ジョブにおける１ページ目の送信対象データとして未送信の予約情報を送信させ、同じ送信宛先のファクシミリ送信ジョブにおける２ページ目以降の送信対象データとして画像データを送信させる。
【００９６】
上記の構成によれば、予約情報を送信する際に余分に生じる通信コストや時間を低減することができる。
【００９７】
また、本発明の一実施形態にかかるファクシミリ装置１は、通信制御部１０２が、他のファクシミリ装置からの送信宛先の変更または追加要求を受信した場合に、ファクシミリ通信部７０に、予約情報を当該要求に示された送信宛先の他のファクシミリ装置へ送信させる。
【００９８】
上記の構成によれば、予約情報を受信した受信側のファクシミリ装置から予約情報の宛先の追加または変更を行うことができる。
【００９９】
なお、本発明は、上記の実施の形態の構成に限られず種々の変形が可能である。
【０１００】
例えば、通信制御部１０２は、受付部１０３がファクシミリ送信ジョブを受け付けた場合に、予約情報を送信させようとする時間から予約情報に対応するファクシミリ送信ジョブの実行予定時間までの間隔と、予め定められた閾値とを比較し、当該間隔が閾値以上であることを条件に予約情報を送信させるとしてもよい。これにより、予約情報を他のファクシミリ装置に送信したものの、相手側に気づかれないまま実行予定時間に達するといった事態が発生する可能性を低減することができる。なお、予約情報を送信させようとする時間から予約情報に対応するファクシミリ送信ジョブの実行予定時間までの間隔が閾値未満である場合には、通信制御部１０２は、予約情報を送信させずにファクシミリ送信ジョブを実行して、ファクシミリ通信部７０にファクシミリ送信ジョブに示される画像データを他のファクシミリ装置へ送信させる。
【０１０１】
また、通信制御部１０２は、予約情報を生成したタイミングで１つの予約情報を送信させるのではなく、生成した予約情報を記憶部６０に記憶させ、当該記憶部６０に同じ送信宛先の未送信の予約情報が予め定められた数だけ記憶されたタイミングで、ファクシミリ通信部７０に、当該予め定められた数の未送信の予約情報を送信させるとしてもよい。これにより、予約情報を送信する際に余分に生じる通信コストや時間を低減することができる。
【０１０２】
また、上記の実施の形態では、ファクシミリ通信部７０がＰＳＴＮを用いたファクシミリ送信およびファクシミリ受信を行う場合について説明したが、本発明は必ずしもこの場合に限定されない。ファクシミリ通信部７０がＬＡＮチップ等の通信モジュールを備え、通信制御部１０２による制御の下、インターネット網を用いたファクシミリ通信およびファクシミリ受信を行うとしてもよい。
【符号の説明】
【０１０３】
１、１ａ  ファクシミリ装置
３０      画像形成部
４０      表示部
５０      操作部
７０      ファクシミリ通信部
１００    制御ユニット
１０１    制御部
１０２    通信制御部
１０３    受付部
【図１】
2015220704.tif 000003
【図２】
2015220704.tif 000004
【図３】
2015220704.tif 000005
【図４】
2015220704.tif 000006
【図５】
2015220704.tif 000007
【図６】
2015220704.tif 000008
【図７】
2015220704.tif 000009
【図８】
2015220704.tif 000010
【図９】
2015220704.tif 000011
【図１０】
2015220704.tif 000012
【図１１】
2015220704.tif 000013
【図１２】
2015220704.tif 000014
【図１３】
2015220704.tif 000015